(57)【要約】【課題】対象携帯端末装置に所望無線品質を測定させて、測定報告と一緒に正確な位置情報を取得すること。【解決手段】位置情報を取得する携帯端末装置は、位置情報の取得が行われる際に、当該携帯端末装置に、ネットワークの無線品質測定調査の測定のための測定条件が設定されているかどうかを判定する判定部と、前記測定条件が設定されていると判定された場合に、ネットワークの無線品質測定調査の測定を行うように制御する測定制御部と、ネットワークの無線品質測定調査の測定結果と前記位置情報とを含む報告情報を生成する報告情報生成部と、該報告情報をネットワークに送信する送信部とを有する。【選択図】図３
2011238990.tif 000002
【特許請求の範囲】
【請求項１】
位置情報を取得する携帯端末装置であって、
前記位置情報の取得が行われる際に、当該携帯端末装置に、ネットワークの無線品質測定調査の測定のための測定条件が設定されているかどうかを判定する判定部と、
該判定部により、前記測定条件が設定されていると判定された場合に、ネットワークの無線品質測定調査の測定を行うように制御する測定制御部と、
前記ネットワークの無線品質測定調査の測定結果と前記位置情報とを含む報告情報を生成する報告情報生成部と、
該報告情報生成部により生成された報告情報をネットワークに送信する送信部と
を有する携帯端末装置。
【請求項２】
請求項１に記載の携帯端末装置において、
前記報告情報生成部により生成された報告情報を記憶する記憶部
を有し、
前記送信部は、前記記憶部に記憶された報告情報をネットワークに送信する携帯端末装置。
【請求項３】
対象携帯端末に所望無線品質を測定させて報告させる移動通信方法で用いられる基地局装置であって、
位置情報サービスを提供する位置情報関連ノードにより通知されるべき位置測位手順が起動されたことを表す起動信号を受信する起動信号受信部と、
交換局装置からネットワークの無線品質測定調査の測定を開始させる信号を受信する測定開始信号受信部と、
前記起動信号受信部により起動信号が受信され、且つ前記測定開始信号受信部により測定を開始させる信号が受信された場合に、前記対象携帯端末装置に対して、前記所望無線品質の測定および報告方法に基づいて該所望無線品質の測定および報告を行うように指示する信号を送信する送信部と
を有する基地局装置。
【請求項４】
請求項３に記載の基地局装置において、
前記位置情報関連ノードにより送信されるべき位置情報を取得する位置情報取得部と、
前記携帯端末装置により送信されるべきネットワークの無線品質測定調査による測定結果を取得する測定結果取得部と、
前記位置情報取得部により取得された位置情報と、前記測定結果取得部により取得された測定結果のうち前記位置情報に対応する携帯端末装置により送信された測定結果とを含む報告情報を生成する報告情報生成部と、
該報告情報生成部により生成された報告情報を上位ノードに送信する報告情報送信部と
を有する基地局装置。
【請求項５】
対象携帯端末装置に所望無線品質を測定させて報告させる移動通信方法で用いられる交換局装置であって、
位置測位手順が起動されたことを検出する起動検出部と、
該起動検出部により位置測位手順が起動されたことが検出された場合に、基地局装置に対して、前記対象携帯端末装置にネットワークの無線品質測定調査の測定を開始させるための測定開始信号を送信する測定開始信号送信部と
を有し、
前記基地局装置は、前記対象携帯端末装置に対して、前記所望無線品質の測定および報告方法に基づいて該所望無線品質の測定および報告を行うように指示する前記測定開始信号を送信し、該対象携帯端末装置は、前記測定開始信号に従って、ネットワークの無線品質測定調査の測定を行う交換局装置。
【請求項６】
請求項５に記載の交換局装置において、
ネットワークの無線品質測定調査ポリシーを記憶する記憶部と、
前記対象携帯端末装置に、前記基地局装置を経由して、前記記憶部に記憶されたネットワークの無線品質測定調査ポリシーを通知する通知部と
を有し、
前記基地局装置は、前記ネットワークの無線品質測定調査ポリシーを、ネットワークの無線品質測定調査の測定ための測定条件に変換して、前記対象携帯端末装置に通知する交換局装置。
【請求項７】
位置情報を取得する携帯端末装置における移動通信方法であって、
前記位置情報の取得が行われる際に、当該携帯端末装置に、ネットワークの無線品質測定調査の測定のための測定条件が設定されているかどうかを判定する判定ステップと、
該判定ステップにより、前記測定条件が設定されていると判定された場合に、ネットワークの無線品質測定調査の測定を行うように制御する測定制御ステップと、
前記ネットワークの無線品質測定調査の測定結果と前記位置情報とを含む報告情報を生成する報告情報生成ステップと、
該報告情報生成ステップにより生成された報告情報をネットワークに送信する送信ステップと
を有する移動通信方法。
【請求項８】
対象携帯端末に所望無線品質を測定させて報告させる移動通信方法であって、
基地局装置が、位置情報サービスを提供する位置情報関連ノードにより通知されるべき位置測位手順が起動されたことを表す起動信号を受信する起動信号受信ステップと、
基地局装置が、交換局装置からネットワークの無線品質測定調査の測定開始信号を受信する測定開始信号受信ステップと、
基地局装置が、前記起動信号受信ステップにより起動信号が受信され、且つ前記測定開始信号受信ステップにより測定開始信号が受信された場合に、前記対象携帯端末装置に対して、前記所望無線品質の測定および報告方法に基づいて該所望無線品質の測定および報告を行うように指示する信号を送信するステップと
を有することを特徴とする移動通信方法。
【請求項９】
対象携帯端末装置に所望無線品質を測定させて報告させる移動通信方法であって、
交換局装置が、位置測位手順が起動されたことを検出する起動検出ステップと、
交換局装置が、該起動検出ステップにより位置測位手順が起動されたことが検出された場合に、基地局装置に対して、前記対象携帯端末装置にネットワークの無線品質測定調査の測定を開始させるための測定開始信号を送信する測定開始信号送信ステップと、
前記基地局が、前記対象携帯端末装置に対して、前記所望無線品質の測定および報告方法に基づいて該所望無線品質の測定および報告を行うように指示する前記測定開始信号を送信するステップと、
該携帯端末装置が、前記測定開始信号に従って、ネットワークの無線品質測定調査の測定を行うステップと
を有することを特徴とする移動通信方法。
【発明の詳細な説明】
【技術分野】
【０００１】
本発明は、移動体通信システムに関する。
【背景技術】
【０００２】
LTE(Long  Term  Evolution)は、W-CDMA(Wideband-Code  Division  Multiple  Access)の標準化団体3GPP(3rd  Generation  Partnership  Project)にて、仕様が作成されている。LTEは、W-CDMAの拡張技術であるHSPA(High  Speed  Packet  Access)から更に発展した標準規格である。LTEでは、下りリンクにおいて100Mbps以上、上りリンクにおいて50Mbps以上の高速通信が実現され、遅延の改善や周波数の利用効率向上などが図られる。
【０００３】
今後、LTEが導入されることにより、既存の移動体通信システムとLTEとが混在する状況となることが予想される。既存のシステムには、W-CDMA方式による移動体通信システムが含まれる。
【０００４】
移動体通信システムでは、ネットワークの品質の改善を行うために、ドライブテスト(Drive-Tests)が行われる。ドライブテストとは、オペレータ自身が各エリアで電界強度の測定（電測）を行うことによりネットワークの品質の調査を行うことである。例えば、オペレータが全エリアに定期的に出向いて、各エリアにおける電界強度を測定する。該電界強度の測定結果から問題となるエリアを検出する。該問題となるエリアにおける電界強度の測定結果に基づいて、ネットワークの品質を改善する。
【先行技術文献】
【非特許文献】
【０００５】
【非特許文献１】3GPP TR 36.805 v9.0.0, 2009 12
【発明の概要】
【発明が解決しようとする課題】
【０００６】
ドライブテストを行うには、オペレータ自身が各エリアに出向く必要がある。各エリアに出向く必要があるため、ネットワークの無線品質の測定に時間がかかる。また、コストが高い問題がある。
【０００７】
このような問題を改善するため、3GPPでは、ミニマイゼーションオヴドライブテスト（ドライブテストの最小化）(MDT: Minimization of Drive-Tests)（以下、「MDT」と呼ぶ）について議論されている。
【０００８】
MDTでは、携帯端末装置を用いて、ネットワークにおける無線品質の測定を行うことにより、ネットワークの品質測定調査を行う。該測定結果は、ネットワークに報告される。
【０００９】
MDTが導入されることにより、ネットワークの無線品質の測定時間を短縮でき、また、コストを低減できることが期待される。
【００１０】
しかし、MDTの具体的な方法については規定されていないことも多い。
【００１１】
本発明は、上述した問題点に鑑みてなされたものであり、その目的は、対象携帯端末装置に所望無線品質を測定させて、測定報告と一緒に正確な位置情報を取得することができる携帯端末装置、基地局装置、及び交換局装置並びに移動通信方法を提供することにある。
【課題を解決するための手段】
【００１２】
本携帯端末装置は、
位置情報を取得する携帯端末装置であって、
前記位置情報の取得が行われる際に、当該携帯端末装置に、ネットワークの無線品質測定調査の測定のための測定条件及び報告方法が設定されているかどうかを判定する判定部と、
該判定部により、前記測定条件及び報告方法が設定されていると判定された場合に、ネットワークの無線品質測定調査の測定を行うように制御する測定制御部と、
前記ネットワークの無線品質測定調査の測定結果と前記位置情報とを含む報告情報を生成する報告情報生成部と、
該報告情報生成部により生成された報告情報をネットワークに送信する送信部と
を有する。
【００１３】
本基地局装置は、
対象携帯端末に所望無線品質を測定させて報告させる移動通信方法で用いられる基地局装置であって、
位置情報サービスを提供する位置情報関連ノードにより通知されるべき位置測位手順が起動されたことを表す起動信号を受信する起動信号受信部と、
交換局装置からネットワークの無線品質測定調査の測定を開始させる信号を受信する測定開始信号受信部と、
前記起動信号受信部により起動信号が受信され、且つ前記測定開始信号受信部により測定を開始させる信号が受信された場合に、前記対象携帯端末装置に対して、前記所望無線品質の測定および報告方法に基づいて該所望無線品質の測定および報告を行うように指示する信号を送信する送信部と
を有する。
【００１４】
本交換局装置は、
対象携帯端末装置に所望無線品質を測定させて報告させる移動通信方法で用いられる交換局装置であって、
位置測位手順が起動されたことを検出する起動検出部と、
該起動検出部により位置測位手順が起動されたことが検出された場合に、基地局装置に対して、前記対象携帯端末装置にネットワークの無線品質測定調査の測定を開始させるための測定開始信号を送信する測定開始信号送信部と
を有し、
前記基地局装置は、前記対象携帯端末装置に対して、前記所望無線品質の測定および報告方法に基づいて該所望無線品質の測定および報告を行うように指示する前記測定開始信号を送信し、該対象携帯端末装置は、前記測定開始信号に従って、ネットワークの無線品質測定調査の測定を行う。
【００１５】
本移動通信方法は、
前記位置情報の取得が行われる際に、当該携帯端末装置に、ネットワークの無線品質測定調査の測定のための測定条件及び報告方法が設定されているかどうかを判定する判定ステップと、
該判定ステップにより、前記測定条件及び報告方法が設定されていると判定された場合に、ネットワークの無線品質測定調査の測定を行うように制御する測定制御ステップと、
前記ネットワークの無線品質測定調査の測定結果と前記位置情報とを含む報告情報を生成する報告情報生成ステップと、
該報告情報生成ステップにより生成された報告情報をネットワークに送信する送信ステップと
を有する。
【００１６】
本移動通信方法は、
対象携帯端末に所望無線品質を測定させて報告させる移動通信方法であって、
基地局装置が、位置情報サービスを提供する位置情報関連ノードにより通知されるべき位置測位手順が起動されたことを表す起動信号を受信する起動信号受信ステップと、
基地局装置が、交換局装置からネットワークの無線品質測定調査の測定開始信号を受信する測定開始信号受信ステップと、
基地局装置が、前記起動信号受信ステップにより起動信号が受信され、且つ前記測定開始信号受信ステップにより測定開始信号が受信された場合に、前記対象携帯端末装置に対して、前記所望無線品質の測定および報告方法に基づいて該所望無線品質の測定および報告を行うように指示する信号を送信するステップと
を有する。
【００１７】
本移動通信方法は、
対象携帯端末装置に所望無線品質を測定させて報告させる移動通信方法であって、
交換局装置が、位置測位手順が起動されたことを検出する起動検出ステップと、
交換局装置が、該起動検出ステップにより位置測位手順が起動されたことが検出された場合に、基地局装置に対して、前記対象携帯端末装置にネットワークの無線品質測定調査の測定を開始させるための測定開始信号を送信する測定開始信号送信ステップと、
前記基地局が、前記対象携帯端末装置に対して、前記所望無線品質の測定および報告方法に基づいて該所望無線品質の測定および報告を行うように指示する前記測定開始信号を送信するステップと、
該携帯端末装置が、前記測定開始信号に従って、ネットワークの無線品質測定調査の測定を行うステップと
を有する。
【発明の効果】
【００１８】
開示の携帯端末装置、基地局装置、及び交換局装置並びに移動通信方法によれば、対象携帯端末装置に所望無線品質を測定させて、測定報告と一緒に正確な位置情報を取得することができる。
【図面の簡単な説明】
【００１９】
【図１】本実施例に従った移動体通信システムの一例を示す説明図である。
【図２】本実施例に従った携帯端末装置を示すハードウェアの一例を示す構成図である。
【図３】本実施例に従った携帯端末装置を示す機能ブロック図である。
【図４】本実施例に従った携帯端末装置の動作の一例を示すフローチャートである。
【図５】本実施例に従った交換局装置を示すハードウェアの一例を示す構成図である。
【図６】本実施例に従った交換局装置を示す機能ブロック図である。
【図７】本実施例に従った交換局装置を含む移動体通信システムの動作の一例を示すシーケンスチャートである。
【図８】本実施例に従った基地局装置を示すハードウェアの一例を示す構成図である。
【図９】本実施例に従った基地局装置を示す機能ブロック図である。
【図１０】本実施例に従った基地局装置を含む移動体通信システムの動作の一例を示すシーケンスチャートである。
【発明を実施するための形態】
【００２０】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２１】
＜第１の実施例＞
＜システム＞
図１は、本実施例に従った携帯端末装置１００が適用されるシステムの一例を示す。
【００２２】
本携帯端末装置１００が適用される環境は、W-CDMA方式の移動体通信システムが適用される環境であってもよいし、Evolved UTRA and UTRAN方式の移動体通信システムが適用される環境であってもよい。両システムが適用される環境であってもよい。Evolved UTRAN and UTRAN方式の移動体通信システムは、ロングタームエボリューション(LTE: Long Term Evolution)と呼ばれることもある。
【００２３】
図１には、一例として、Evolved UTRA and UTRAN方式の移動体通信システムが示される。
【００２４】
該移動体通信システムは、携帯端末装置(UE: User Equipment)１００と、基地局装置(eNB: eNodeB)２００と、交換局装置３００とを含む。交換局装置３００は、MME(Mobility Management Entity)と呼ばれることもある。
【００２５】
基地局装置２００は交換局装置３００と接続され、交換局装置３００は、コアネットワーク（図示無し）と接続される。コアネットワークに、オペレーションアンドメンテナンス(OAM: operation and maintenance)ノード５００が接続される。また、コアネットワークに、位置情報関連ノード４００が接続される。位置情報関連ノードには、例えば、ゲートウェイモバイルロケーションセンター(GMLC: Gateway Mobile Location Center)が含まれる。携帯端末装置１００は基地局装置２００によりカバーされるセルにおいて基地局装置２００とEvolved UTRA and UTRAN方式により無線通信を行う。
【００２６】
図１には、１台の携帯端末装置１００が描かれているが、２台以上であってもよい。また、図１には、交換局装置３００に１台の基地局装置２００が接続されているが、２台以上でもよい。また、図１には、１台の交換局装置３００が描かれているが、２台以上であってもよい。
【００２７】
基地局装置２００と無線通信を行うことができる携帯端末装置１００は、W-CDMA方式により無線通信を行う基地局装置（図示無し）とも無線通信を行うことができるものであってもよい。換言すれば、携帯端末装置１００は、デュアルモード端末であってもよい。デュアルモード端末は、既存の移動体通信システム、例えばW-CDMA方式と、新たに導入される移動体通信システム、例えばLTE方式により通信を行うことができる。携帯端末装置１００には、既存の移動体通信システムにより無線通信を行うものと、新たに導入される移動体通信システムにより無線通信を行うものと、両方の移動体通信システムにより無線通信を行うものとが含まれてもよい。
【００２８】
＜本携帯端末装置＞
図２は、本実施例に従った携帯端末装置１００を示す。図２には、主にハードウェア構成が示される。
【００２９】
本携帯端末装置１００は、入力部１０２と、出力部１０４と、通信制御部１０６と、無線部１０８と、記憶部１１０と、中央演算処理装置(CPU:  Central Processing Unit)１１２と、位置情報取得部１１４とを有する。各機能ブロックは、バス１５０により接続される。本実施例では、一例として、携帯端末装置１００について説明される。携帯端末装置１００に限らず、MDTの測定を適用できる端末装置であれば適用できる。例えば、携帯情報端末(PDA:  Personal  Digital  Assistants)などに適用できる。
【００３０】
中央演算処理装置１１２は、入力部１０２、出力部１０４、通信制御部１０６、無線部１０８、記憶部１１０、及び位置情報取得部１１４の制御を行う。中央演算処置装置１１２は、記憶部１１０に記憶されたプログラムに従って機能し、所定の処理を行う。
【００３１】
記憶部１１０は、アプリケーション(Application)と、オペレーティングシステム(OS:  Operating  System)とを有する。アプリケーションは、ユーザが本携帯端末装置１００上で実行する作業を実施する機能を有するソフトウェアである。オペレーティングシステムは、本携帯端末装置１００において、ハードウェアを抽象化したインターフェースをアプリケーションソフトウェアに提供するソフトウェアである。
【００３２】
入力部１０２は、例えば、キーボードやマウスにより構成され、当該携帯端末装置１００への指示や、データの入力を行うための装置である。また、入力部１０２は、例えば、マイクにより構成され、ユーザにより発せられた音声を入力する。該音声には、当該携帯端末装置１００への指示が含まれてもよい。該指示には、オペレーティングシステムに対するものや、アプリケーションに対するものが含まれる。
【００３３】
出力部１０４は、例えば、ディスプレイにより構成され、当該携帯端末装置１００による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ(Liquid Crystal Display :LCD)、CRT(Cathode  Ray  Tube)ディスプレイ、プラズマディスプレイ(PDP:  Plasma  Display  Panel)、有機EL(Electro-Luminescence)ディスプレイなどが含まれる。
【００３４】
通信制御部１０６は、当該携帯端末装置１００を接続すべきネットワークと接続するための制御情報を生成し、また、接続すべき基地局装置２００により送信された制御情報を解析する。また、通信制御部１０６は、ネットワークの無線品質測定調査（以下、「MDT測定」と呼ぶ）を行う。該MDT測定では、参照信号受信電力(RSRP: Reference Signal Received Power)、参照信号受信品質(RSRQ: Reference Signal Received Quality)が測定されてもよい。例えば、無線部１０８からの入力信号に基づいてMDP測定を行う。
【００３５】
無線部１０８は、中央演算処理装置１１２による制御により、基地局装置２００との間で、所定の無線通信方式により無線通信を行う。該無線通信方式には、E-UTRA (Evolved Universal Terrestrial Radio Access)/E-UTRAN (Evolved Universal Terrestrial Radio Access Network) が含まれる。例えば、通信制御部１０６により生成された制御情報を無線信号に変換して送信する。また、基地局装置２００からの無線信号をベースバンド信号に変換する。
【００３６】
位置情報取得部１１４は、当該携帯端末装置１００の位置情報を取得する。例えば、位置情報取得プロシージャーを起動することにより、位置情報を取得する。また、例えば、位置情報取得部１１４は、GPS受信装置を含んでいてもよい。GPS受信装置は、GPS衛星により送信される測位信号に基づいて、当該携帯端末装置１００の位置を測位する。位置情報は、経度、緯度により表されてもよい。さらに、位置情報は、高度により表されてもよい。現在、約30個のGPS衛星が高度約20,000kmの上空で地球を一周しており、55度ずつ傾いた6つの地球周回軌道面があり、各々の軌道面に4個以上のGPS衛星が均等に配置されている。従って、天空が開けている場所であれば、地球上のどの場所にいても、常時、少なくとも5個以上のGPS衛星が観測可能である。また、位置情報取得部１１４は、GPSに限らず、他の位置情報取得手段により位置情報を取得してもよい。例えば、無線LANにおけるアクセスポイントからの電波に基づいて位置情報を取得してもよい。
【００３７】
＜MDTの種類＞
MDTには、「イミディエートMDT（Immediate MDT）」と「ログMDT（Logged MDT）の２つのタイプが規定されている。
【００３８】
「Immediate MDT」は、当該携帯端末装置１００が、RRC_CONNECTEDの状態である場合に実行されるMDTの測定と、該測定結果の報告とを含む。通常、携帯端末装置１００は、RRC_CONNECTEDの状態で、CONNECTED Measurement and Reportingを行うが、該CONNECTED Measurement and Reportingと同様の方法により行われる。例えば、携帯端末装置１００は、予め設定されたイベントやピリオドを満たす場合に報告を行う。イベントには、サービングセルからの電界強度があるしきい値未満となることが含まれる。
【００３９】
「Logged MDT」は、当該携帯端末装置１００が、RRC_IDLEの状態である場合に実行されるMDTの測定と、該測定結果の記録とを含む。携帯端末装置１００には、MDTの測定のための測定条件及び報告方法（以下、「MDT測定コンフィグレーション」と呼ぶ）が予め設定される。例えば、RRC_CONNECTEDの状態である場合に、携帯端末装置１００に、MDT測定コンフィグレーションが設定される。該MDT測定コンフィグレーションは、携帯端末装置１００がRRC_IDLEである場合に適用されるものであってもよい。携帯端末装置１００は、RRC_IDLEの状態になったら、予め設定されたMDT測定コンフィグレーションに従って、MDTの測定と、該測定結果を記録する。また、RRC_CONNECTEDの状態である場合に、MDT用の測定と、該測定結果を記録するようにしてもよい。携帯端末装置１００は、RRC_CONNECTEDセッションで、記録した測定結果を報告する。
【００４０】
「Immediate MDT」と「Logged MDT」との違いは、イベントを満たした場合に報告するか、記録するかの違いであってもよい。
【００４１】
＜本携帯端末装置の機能＞
MDT測定結果の報告は、ネットワークの無線品質を調査して、該品質が悪い所を改善するために行われる。従って、ネットワークの無線品質の情報だけでは不十分であり、該無線品質が得られた位置に関する位置情報も必要である。
【００４２】
特に、「Logged MDT」では、様々な位置で測定されたネットワークの品質の測定結果が記録されるため、該測定結果を報告する際には、位置情報も含めて報告するのが好ましい。
【００４３】
「Logged MDT」では、携帯端末装置１００がRRC_IDLEの状態での測定結果が記録される場合が多いので、位置情報をネットワーク側で把握できない場合が多い。
【００４４】
そこで、本携帯端末装置１００では、ネットワークの無線品質の測位結果と、当該携帯端末装置１００が有する利用可能な位置情報とを記録する。
【００４５】
本携帯端末装置１００により実行される処理には、当該携帯端末装置１００の有する位置情報取得部１１４が起動した場合に、MDT測定コンフィグレーションが設定されているかどうかを判定する処理が含まれる。本携帯端末装置１００により実行される処理には、該判定の結果が、MDT測定コンフィグレーションが設定されている場合に、MDT測定を行う処理が含まれる。本携帯端末装置１００により実行される処理には、該測定結果と当該携帯端末装置１００の位置情報(location info)とを報告する処理が含まれる。該位置情報は、当該携帯端末装置１００が有する利用可能な(available)位置情報であるのが好ましい。該利用可能な位置情報は、当該携帯端末装置１００が有する最新の位置情報が含まれる。例えば、報告のために、最新の位置情報を取得する手順(プロシージャー：procedure)は起動せず、測定結果を報告する時点で当該携帯端末装置１００に記憶されている位置情報であってもよい。また、必要に応じて、測定結果を報告する際に、位置情報を取得する手順が起動され、該位置情報を取得する手順により取得された位置情報であってもよい。
【００４６】
また、位置情報には、該位置情報に関連した情報が含まれてもよい。例えば、スタンドアロン(standalone)GPSが起動された場合には、該GPSによる測位結果に加え、周辺セルの参照信号受信電力、参照信号受信品質が含まれてもよい。
【００４７】
図３は、本携帯端末装置１００の機能を示す。図３には、中央演算処理装置１１２により実行される機能が主に示される。
【００４８】
本携帯端末装置１００は、MDT測定コンフィグレーション設定判定部１１２２を有する。該MDT測定コンフィグレーション設定判定部１１２２には、位置情報取得部１１４から該位置情報取得部１１４が起動された場合に、起動されたことを表す起動情報が入力される。例えば、GPS受信装置を含む位置情報取得部１１４に、位置情報サービスによる命令が入力されることにより該GPS受信装置が起動された場合に、該位置情報取得部１１４は、MDT測定コンフィグレーション設定判定部１１２２に起動情報を入力する。MDT測定コンフィグレーション設定判定部１１２２は、位置情報取得部１１４から起動情報が入力されると、MDP測定コンフィグレーション設定部１１２４に、MDT測定コンフィグレーションが設定されているかどうかを問い合わせる。MDT測定コンフィグレーション設定部１１２４にMDT測定コンフィグレーションが設定されている場合、MDT測定コンフィグレーション設定判定部１１２２は、MDT測定制御部１１２６に、MDT測定を開始するように命令する。MDT測定コンフィグレーション設定部１１２４にMDT測定コンフィグレーションが設定されていない場合、MDT測定コンフィグレーション設定判定部１１２２は、待機する。
【００４９】
本携帯端末装置１００は、MDT測定コンフィグレーション設定部１１２４を有する。該MDT測定コンフィグレーション設定部１１２４は、MDT測定コンフィグレーション設定判定部１１２２と接続される。該MDT測定コンフィグレーション設定部１１２４には、通信制御部１０６から、MDT測定コンフィグレーションが入力される。該MDT測定コンフィグレーションには、MDT測定により測定し、報告すべき測定結果を得るための測定パラメータや項目が含まれる。MDT測定コンフィグレーション設定部１１２４は、通信制御部１０６により入力されたMDT測定コンフィグレーションを設定する。また、MDT測定コンフィグレーション設定部１１２４は、MDT測定制御部１１２６に、MDT測定コンフィグレーションの設定結果を入力する。また、MDT測定コンフィグレーション設定部１１２４は、MDT測定コンフィグレーション設定判定部１１２２によるMDT測定コンフィグレーションが設定されたかどうかの問い合わせに応答する。
【００５０】
本携帯端末装置１００は、MDT測定制御部１１２６を有する。該MDT測定制御部１１２６は、MDT測定コンフィグレーション設定判定部１１２２、及びMDT測定コンフィグレーション設定部１１２４と接続される。該MDT測定制御部１１２６は、MDT測定コンフィグレーション設定判定部１１２２からMDT測定を開始するように命令された場合に、MDT測定コンフィグレーション設定部１１２４により入力されるべきMDT測定コンフィグレーションに従って、MDT測定の制御を行う。MDT測定制御部１１２６は、MDT測定結果報告情報生成部１１２８に、ネットワークに報告すべき報告情報を生成するように命令する。
【００５１】
本携帯端末装置１００は、MDT測定結果報告情報生成部１１２８を有する。該MDT測定結果報告情報生成部１１２８は、MDT測定制御部１１２６と接続される。該MDT測定結果報告情報生成部１１２８には、位置情報取得部１１４から位置情報が入力され、通信制御部１０６からMDT測定結果が入力される。MDT測定結果報告情報生成部１１２８は、MDT測定制御部１１２６からネットワークに報告すべき報告情報を生成するように命令された場合、該命令に従って、MDT測位結果と位置情報とを含む報告情報を生成する。MDT測定結果報告情報生成部１１２８は、該報告情報を通信制御部１０６に入力する。
【００５２】
＜本携帯端末装置の動作＞
図４は、本携帯端末装置の動作の一例を示すフローチャートである。
【００５３】
本携帯端末装置１００の有する位置測位装置が起動される（ステップＳ４０２）。該位置測位装置は、例えばスタンドアロンGPSであってもよい。例えば、位置情報取得部１１４は、当該携帯端末装置１００の有する位置測位装置が起動されたかどうかを判定し、起動されたと判定した場合に、MDT測定コンフィグレーション設定判定部１１２２に、起動情報を入力する。
【００５４】
本携帯端末装置１００は、MDT測定コンフィグレーションが設定されているかどうかを判定する（ステップＳ４０４）。例えば、MDT測定コンフィグレーション設定判定部１１２２は、MDT測定コンフィグレーション設定部１１２４に、MDT測定コンフィグレーションが設定されているかどうかを問い合わせることにより、MDT測定コンフィグレーションが設定されているかどうかを判定する。
【００５５】
MDT測定コンフィグレーションが設定されている場合（ステップＳ４０４：ＹＥＳ）、本携帯端末装置１００は、MDT測定を開始し、MDTデータの収集を開始する（ステップＳ４０６）。例えば、MDT測定コンフィグレーション設定判定部１１２２は、MDT測定コンフィグレーションが設定されていると判定した場合、MDT測定制御部１１２６に、MDT測定を開始するように命令する。MDT測定制御部１１２６は、MDT測定コンフィグレーション設定判定部１１２２により入力されたMDT測定を開始する命令に従ってMDT測定の制御を行う。
【００５６】
本携帯端末装置１００は、ネットワークに、MDTデータ収集結果と、測位情報とを報告する。例えば、MDT測定制御部１１２６は、MDT測定結果情報生成部１１２８に、ネットワークに報告すべき報告情報を生成するように命令する。MDT測定結果報告情報生成部１１２８は、MDT測定制御部１１２６から、ネットワークに報告すべき測位結果情報を生成するように命令された場合、該命令に従って、MDT測位結果と位置情報とを含む報告情報を生成する。MDT測定結果報告情報生成部１１２８は、報告情報を通信制御部１０６に入力する。通信制御部１０６は、該報告情報を無線部１０８から無線送信させる。
【００５７】
ステップＳ４０４においてMDT測定コンフィグレーションが設定されていないと判定された場合、MDT測定は不可能であるので終了する。
【００５８】
図４に示されるフローチャートにおいて、ステップＳ４０８において生成された報告情報を記録するようにしてもよい。例えば、MDT測定制御部１１２６は、MDT測定結果報告情報生成部１１２８に、報告情報を記憶部１１０に格納するように命令する。記憶部１１０に格納された報告情報は、その後、ネットワークに無線送信されてもよい。
【００５９】
本実施例によれば、MDT測定結果に、本携帯端末装置１００の有する最新の位置情報と関連付けて報告情報を生成できる。MDT測定のために位置情報の測定が行われるのではなく、位置情報が取得される際にMDT測定が行われるため、MDT測定に係る処理負荷を低減できる。
【００６０】
＜第２の実施例＞
＜システム＞
本実施例に従った交換局装置３００が適用される環境は、図１を参照して説明した環境と同様である。
【００６１】
＜本交換局装置＞
図５は、本実施例に従った交換局装置３００を示す。図５には、主にハードウェア構成が示される。
【００６２】
本交換局装置３００は、通信部３０２と、中央演算処理装置３０４と、記憶部３０６とを有する。各機能ブロックは、バス３５０により接続される。
【００６３】
中央演算処理装置３０４は、通信部３０２、及び記憶部３０６の制御を行う。中央演算処置装置３０４は、記憶部３０６に記憶されたプログラムに従って機能し、所定の処理を行う。
【００６４】
記憶部３０６は、アプリケーションと、オペレーティングシステムとを有する。アプリケーションは、ユーザが本交換局装置３００上で実行する作業を実施する機能を有するソフトウェアである。オペレーティングシステムは、本交換局装置３００において、ハードウェアを抽象化したインターフェースをアプリケーションソフトウェアに提供するソフトウェアである。
【００６５】
通信部３０２は、中央演算処理装置３０４による制御により、基地局装置２００との間で、所定の通信方式により通信を行う。また、通信部３０２は、OAMノードとの間で、所定の通信方式により通信を行う。また、通信部３０２は、位置情報関連ノード４００との間で、所定の通信方式により通信を行う。
【００６６】
＜本交換局装置の機能＞
交換局装置３００は、携帯端末装置１００がRRC_IDLEの状態であるのかRRC_CONNECTEDの状態であるのかを検出できる。また、位置情報関連ノード４００により位置情報測位手順が起動される際には、交換局装置３００に、位置情報測位指示が送信される。交換局装置３００は、該位置情報測位指示をトリガーとして、基地局装置２００に、MDTデータの収集を開始するように指示する。該指示は、対象となる携帯端末装置に所望の無線品質を測定させて報告させるためのものである。
【００６７】
図６は、本交換局装置３００の機能を示す。図６には、中央演算処理装置３０４により実行される機能が主に示される。
【００６８】
本交換局装置３００は、MDTポリシー通知部３０４２を有する。MDTポリシー通知部３０４２には、MDTポリシーが入力される。該MDTポリシーには、MDP測定を行うエリアを示す情報、例えば、セルIDが含まれる。また、MDTポリシーには、携帯端末装置１００の契約者情報が含まれてもよい。また、MDTポリシーには、携帯端末装置１００の能力を表す情報が含まれてもよい。また、MDTポリシーには、ある加入者識別子(IMSI: International Mobile Subscriber Identity)を有する携帯端末装置を示す情報が含まれてもよい。MDTポリシーは、例えば、OAMノード５００から受信されたものであってもよい。OAMノード５００は、ネットワーク装置の運用・保守を行うためのノードである。MDTポリシー通知部３０４２は、記憶部３０６に、MDTポリシーを一時的に格納する。また、MDTポリシー通知部３０４２は、記憶部３０６に格納されたMDTポリシーを通信部３０２に入力する。通信部３０２に入力されたMDTポリシーは、基地局装置２００に送信される。該MDTポリシーは、基地局装置２００により、携帯端末装置１００に送信するためのフォーマットに変換され、MDT測定コンフィグレーションとして、携帯端末装置１００に無線送信される。携帯端末装置１００は、MDT測定コンフィグレーションを設定する。
【００６９】
本交換局装置３００は、MDT測定開始制御部３０４４を有する。MDT測定開始制御部３０４４には、位置情報関連ノード４００により位置情報測位指示信号が入力される。MDT測定開始制御部３０４４は、MDTポリシー通知部３０４２に、MDTポリシーを通知するように命令する。また、MDT測定開始制御部３０４４は、該位置情報測位指示信号が入力されたことをトリガーとして、MDT測定開始信号生成部３０４６に、MDT測定開始信号を生成するように命令する。
【００７０】
本交換局装置３００は、MDT測定開始信号生成部３０４６を有する。MDT測定開始信号生成部３０４６は、MDT測定開始制御部３０４４からのMDT測定開始信号を生成する命令に従って、MDT測定開始信号を生成する。また、MDT測定開始信号生成部３０４６は、該MDT測定開始信号を通信部３０２に入力する。該MDT測定開始信号は、基地局装置２００により携帯端末装置１００に送信するためのフォーマットに変換され、携帯端末装置１００に無線送信される。携帯端末装置１００は、該MDT測定開始信号に従って、MDT測定を行う。
【００７１】
また、携帯端末装置１００には、位置情報関連ノード４００から位置情報が通知される。携帯端末装置１００は、位置情報関連ノード４００により通知された位置情報と、MDT測定結果とを含む報告情報を生成する。該報告情報は、交換局装置３００に送信される。さらに、交換局装置３００からOAMノード５００に通知されてもよい。
【００７２】
＜本交換局装置の動作＞
図７は、本交換局装置３００の動作の一例を説明するためのシーケンスチャートである。
【００７３】
OAMノード５００から交換局装置３００に、MDTポリシーが送信される（ステップＳ７０２）。
【００７４】
交換局装置３００は、OAMノード５００からのMDTポリシーを基地局装置２００に送信する（ステップＳ７０４）。例えば、MDTポリシー通知部３０４２は、MDTポリシーを記憶部３０６に一時的に格納する。MDTポリシー通知部３０４２は、記憶部３０６に格納されたMDTポリシーを基地局装置２００に送信する。例えば、MDTポリシーを受信したときの携帯端末装置１００の状態がRRC_IDLEの状態の場合に記憶部３０６に格納し、該携帯端末装置１００がRRC_CONNECTEDの状態に遷移した際に、基地局装置２００に送信するようにしてもよい。また、記憶部３０６に格納する必要がない場合には、記憶部３０６に格納せずに、基地局装置３００に送信してもよい。例えば、MDTポリシーを受信したときの携帯端末装置１００の状態がRRC_CONNECTEDの状態である場合には、記憶部３０６に格納せずに送信してもよい。
【００７５】
基地局装置２００は、交換局装置３００により通知されたMDTポリシーをMDT測定コンフィグレーションに変換し、携帯端末装置１００に無線送信する（ステップＳ７０６）。携帯端末装置１００は、基地局装置２００により通知されたMDT測定コンフィグレーションを設定する（ステップＳ７０８）。
【００７６】
位置情報関連ノード４００において位置測位が行われる場合には、位置情報関連ノード４００から、交換局装置３００に、位置情報測位指示信号が送信される（ステップＳ７１０）。
【００７７】
位置情報関連ノード４００は、位置情報測位手順を起動する（ステップＳ７１２）。
【００７８】
交換局装置３００は、位置情報関連ノード４００からの位置情報測位指示信号をトリガーとして、MDT測位開始信号を生成する（ステップＳ７１４）。例えば、位置情報関連ノード４００からの位置情報開始信号は、MDT測位開始制御部３０４４に入力される。MDT測位開始制御部３０４４は、該位置情報測位指示信号をトリガーとして、MDT測定開始信号生成部３０４６に、MDT測定開始信号を生成するように命令する。MDT測定開始信号生成部３０４６は、MDT測定開始信号生成部３０４により入力されたMDT測定開始信号を生成する命令に従って、MDT測定開始信号を生成する。
【００７９】
交換局装置３００は、MDT測定開始信号を基地局装置２００に送信する（ステップＳ７１６）。
【００８０】
基地局装置２００は、携帯端末装置１００に、交換局装置３００からのMDT測定開始信号を無線送信する（ステップＳ７１８）。該MDT測定開始信号は、MDT測定コンフィグレーションに基づいて送信される。
【００８１】
携帯端末装置１００は、MDT測定開始信号を受信した場合、ステップＳ７０８により設定したMDT測定コンフィグレーションに従って、MDT測定を行う（ステップＳ７２０）。
【００８２】
位置情報関連ノード４００から、携帯端末装置１００の位置情報が、該携帯端末装置１００に通知される（ステップＳ７２２）。
【００８３】
携帯端末装置１００は、ステップＳ７２０によるMDT測定結果と、ステップＳ７２２により通知された位置情報とを含む報告情報を生成する（ステップＳ７２４）。
【００８４】
携帯端末装置１００は、ステップＳ７２４により生成された報告情報を交換局装置３００に送信する（ステップＳ７２６）。さらに、交換局装置３００からOAMノード５００に、該報告情報が送信されてもよい。
【００８５】
本実施例において、交換局装置３００がMDTポリシーを通知することにより、MDT測定が開始されるようにしてもよい。例えば、交換局装置３００は、位置情報関連ノード４００からの位置情報測位指示信号を受信するまでは、MDTポリシーを保持する。交換局装置３００は、位置情報測位指示信号を受信した場合に、MDTポリシーを基地局装置２００に送信する。基地局装置２００は、交換局装置３００からのMDTポリシーに基づいてMDT測定コンフィグレーションを生成し、携帯端末装置１００に無線送信する。携帯端末装置１００は、基地局装置２００からのMDTコンフィグレーションを設定し、MDT測定を開始する。MDTポリシーの通知によりMDT測定が開始されることにより、MDT測定のために通知する信号数を減少させることができる。
【００８６】
本実施例によれば、位置情報取得プロシージャーが起動されていた場合に、携帯端末装置はMDT測定を開始し、MDTの測定結果と位置情報とを含む報告情報を生成する。MDT測定のために位置情報の測定が行われるのではなく、位置情報が取得される際にMDT測定が行われるため、MDT測定に係る処理負荷を低減できる。
【００８７】
＜変形例＞
第２の実施例において、基地局装置２００により、携帯端末装置１００の位置情報と、該携帯端末装置１００によるMDT測位結果とを対応付けてもよい。
【００８８】
＜本基地局装置＞
図８は、本変形例に従った基地局装置２００を示す。図８には、主にハードウェア構成が示される。
【００８９】
本基地局装置２００は、通信部２０２と、中央演算処理装置２０４と、記憶部２０６とを有する。各機能ブロックは、バス２５０により接続される。
【００９０】
中央演算処理装置２０４は、通信部２０２、及び記憶部２０６の制御を行う。中央演算処置装置２０４は、記憶部２０６に記憶されたプログラムに従って機能し、所定の処理を行う。
【００９１】
記憶部２０６は、アプリケーションと、オペレーティングシステムとを有する。アプリケーションは、ユーザが本基地局装置２００上で実行する作業を実施する機能を有するソフトウェアである。オペレーティングシステムは、本交換局装置３００において、ハードウェアを抽象化したインターフェースをアプリケーションソフトウェアに提供するソフトウェアである。
【００９２】
通信部２０２は、中央演算処理装置２０４による制御により、交換局装置３００との間で有線により通信を行う。また、通信部２０２は、中央演算処理装置２０４による制御により、携帯端末装置１００との間で、所定の無線通信方式により無線通信を行う。該無線通信方式には、LTEが含まれる。
【００９３】
＜本基地局装置の機能＞
図９は、本基地局装置２００の機能を示す。図９には、中央演算処理装置２０４により実行される機能が主に示される。
【００９４】
本基地局装置２００は、MDT測定コンフィグレーション通知部２０４２を有する。MDT測定コンフィグレーション通知部２０４２には、位置情報関連ノード４００からの起動通知信号と、交換局装置３００からのMDT測定開始信号が入力される。MDT測定コンフィグレーション通知部２０４２は、起動信号通知信号及びMDT測定開始信号が入力された場合に、通信部２０２にMDT測定コンフィグレーションを入力する。MDT測定コンフィグレーションを生成するためのMDTポリシーが事前に当該基地局装置２００に通知される。通信部２０２は、MDT測定コンフィグレーション通知部２０４２により入力されたMDT測定コンフィグレーションを、携帯端末装置１００に無線送信する。
【００９５】
＜本基地局装置の動作＞
図１０は、本基地局装置２００の動作の一例を説明するためのシーケンスチャートである。
【００９６】
位置情報関連ノード４００により位置情報測位手順が起動されている場合、位置情報関連ノード４００は、基地局装置２００に、起動されたことを通知する（ステップＳ１００２）。例えば、位置情報関連ノード４００がE-SMLC(Evolved-Serving Mobile Location Center)である場合、該E-SMLCは、基地局装置２００に起動されたことを通知する。
【００９７】
OAMノード５００から交換局装置３００に、MDTポリシーが送信される（ステップＳ１００４）。
【００９８】
交換局装置３００は、OAMノード５００からのMDTポリシーを基地局装置２００に送信する（ステップＳ１００６）。例えば、MDTポリシー通知部３０４２は、MDTポリシーを記憶部３０６に一時的に格納する。MDTポリシー通知部３０４２は、記憶部３０６に格納されたMDTポリシーを基地局装置２００に送信する。例えば、MDTポリシーを受信したときの携帯端末装置１００の状態がRRC_IDLEの状態の場合に記憶部３０６に格納し、該携帯端末装置１００がRRC_CONNECTEDの状態に遷移した際に、基地局装置２００に送信するようにしてもよい。また、記憶部３０６に格納する必要がない場合には、記憶部３０６に格納せずに、基地局装置３００に送信してもよい。例えば、MDTポリシーを受信したときの携帯端末装置１００の状態がRRC_CONNECTEDの状態である場合には、記憶部３０６に格納せずに送信してもよい。
【００９９】
また、交換局装置３００は、OAMノード５００からのMDTポリシーが受信された際に、MDT測定開始信号を基地局装置２００に送信する（ステップＳ１００８）。
【０１００】
基地局装置２００は、交換局装置３００により通知されたMDTポリシーをMDT測定コンフィグレーションに変換し、携帯端末装置１００に無線送信する（ステップＳ１０１０）。携帯端末装置１００は、基地局装置２００により通知されたMDT測定コンフィグレーションを設定する（ステップＳ１０１２）。
【０１０１】
携帯端末装置１００は、MDT測定コンフィグレーションを設定した後、該MDT測定コンフィグレーションに従って、MDT測定を行う（ステップＳ１０１４）。基地局装置２００は、携帯端末装置１００に、MDP測定を開始させるMDP測定開始信号を送信するようにしてもよい。例えば、該MDP測定開始信号は、MDT測定コンフィグレーションに従って送信されるものであってもよい。
【０１０２】
位置情報関連ノード４００から、携帯端末装置１００の位置情報が、該携帯端末装置１００に通知される（ステップＳ１０１６）。
【０１０３】
携帯端末装置１００は、ステップＳ１０１４によるMDT測定結果と、ステップＳ１０１６により通知された位置情報とを含む報告情報を生成する（ステップＳ１０１８）。
【０１０４】
携帯端末装置１００は、ステップＳ１０１８により生成された報告情報を交換局装置３００に送信する（ステップＳ１０２０）。さらに、交換局装置３００からOAMノード５００に、該報告情報が送信されてもよい。
【０１０５】
本変形例において、位置情報関連ノード４００からの位置情報が基地局装置２００に通知されるようにしてもよい。換言すれば、位置情報が携帯端末装置１００に返されない。例えば、MT-LR(Mobile Terminated Location Request)手順が適用された場合が該当する。位置情報が携帯端末装置１００に返されない場合、基地局装置２００により、MDT測定結果と位置情報とが対応付けられる。該対応付けられたMDT測定結果と位置情報は、交換局装置３００に送信される。さらに、OAMノード５００に送信されてもよい。
【０１０６】
本変形例によれば、位置情報取得プロシージャーが起動されていた場合に、ネットワークはMDT測定を指示する。携帯端末装置は該指示に従ってMDTの測定を開始し、該MDTの測定結果と位置情報とを含む報告情報を生成する。MDT測定のために位置情報の測定が行われるのではなく、位置情報が取得される際にMDT測定が行われるため、MDT測定に係る処理負荷を低減できる。ここで、ネットワークには、基地局装置が含まれる。
【０１０７】
本実施例によれば、位置情報を取得する携帯端末装置が提供される。
【０１０８】
該携帯端末装置は、
前記位置情報の取得が行われる際に、当該携帯端末装置に、ネットワークの無線品質測定調査の測定のための測定条件が設定されているかどうかを判定する判定部と、
該判定部により、前記測定条件が設定されていると判定された場合に、ネットワークの無線品質測定調査の測定を行うように制御する測定制御部と、
前記ネットワークの無線品質測定調査の測定結果と前記位置情報とを含む報告情報を生成する報告情報生成部と、
該報告情報生成部により生成された報告情報をネットワークに送信する送信部と
を有する。
【０１０９】
MDT測定結果に、本携帯端末装置１００の有する最新の位置情報と関連付けて報告情報を生成できる。MDT測定のために位置情報の測定が行われるのではなく、位置情報が取得される際にMDT測定が行われるため、MDT測定に係る処理負荷を低減できる。
【０１１０】
さらに、
前記報告情報生成部により生成された報告情報を記憶する記憶部
を有し、
前記送信部は、前記記憶部に記憶された報告情報をネットワークに送信する。
【０１１１】
MDT測定結果と、位置情報とを含む報告情報とまとめて報告できる。
【０１１２】
本実施例により提供される基地局装置は、
対象携帯端末に所望無線品質を測定させて報告させる移動通信方法で用いられる基地局装置であって、
位置情報サービスを提供する位置情報関連ノードにより通知されるべき位置測位手順が起動されたことを表す起動信号を受信する起動信号受信部と、
交換局装置からネットワークの無線品質測定調査の測定を開始させる信号を受信する測定開始信号受信部と、
前記起動信号受信部により起動信号が受信され、且つ前記測定開始信号受信部により測定を開始させる信号が受信された場合に、前記対象携帯端末装置に対して、前記所望無線品質の測定および報告方法に基づいて該所望無線品質の測定および報告を行うように指示する信号を送信する送信部と
を有する。
【０１１３】
位置情報取得プロシージャーが起動されていた場合に、ネットワークはMDT測定を指示する。携帯端末装置は該指示に従ってMDTの測定を開始し、該MDTの測定結果と位置情報とを含む報告情報を生成する。MDT測定のために位置情報の測定が行われるのではなく、位置情報が取得される際にMDT測定が行われるため、MDT測定に係る処理負荷を低減できる。
【０１１４】
さらに、
前記位置情報関連ノードにより送信されるべき位置情報を取得する位置情報取得部と、
前記携帯端末装置により送信されるべきネットワークの無線品質測定調査による測定結果を取得する測定結果取得部と、
前記位置情報取得部により取得された位置情報と、前記測定結果取得部により取得された測定結果のうち前記位置情報に対応する携帯端末装置により送信された測定結果とを含む報告情報を生成する報告情報生成部と、
該報告情報生成部により生成された報告情報を上位ノードに送信する報告情報送信部と
を有する。
【０１１５】
基地局装置により報告情報を生成できる。
【０１１６】
本実施例により提供される交換局装置は、
位置測位手順が起動されたことを検出する起動検出部と、
該起動検出部により位置測位手順が起動されたことが検出された場合に、基地局装置に対して、前記対象携帯端末装置にネットワークの無線品質測定調査の測定を開始させるための測定開始信号を送信する測定開始信号送信部と
を有し、
前記基地局装置は、前記対象携帯端末装置に対して、前記所望無線品質の測定および報告方法に基づいて該所望無線品質の測定および報告を行うように指示する前記測定開始信号を送信し、該対象携帯端末装置は、前記測定開始信号に従って、ネットワークの無線品質測定調査の測定を行う。
【０１１７】
位置情報取得プロシージャーが起動されていた場合に、携帯端末装置はMDT測定を開始し、MDTの測定結果と位置情報とを含む報告情報を生成する。MDT測定のために位置情報の測定が行われるのではなく、位置情報が取得される際にMDT測定が行われるため、MDT測定に係る処理負荷を低減できる。
【０１１８】
さらに、
ネットワークの無線品質測定調査ポリシーを記憶する記憶部と、
前記対象携帯端末装置に、前記基地局装置を経由して、前記記憶部に記憶されたネットワークの無線品質測定調査ポリシーを通知する通知部と
を有し、
前記基地局装置は、前記ネットワークの無線品質測定調査ポリシーを、ネットワークの無線品質測定調査の測定ための測定条件に変換して、前記対象携帯端末装置に通知する。
【０１１９】
携帯端末装置に、ミニマイゼーションオヴドライブテストの測定ためのコンフィグレーションを通知できる。
【０１２０】
本実施例による移動通信方法によれば、
位置情報を取得する携帯端末装置における移動通信方法であって、
前記位置情報の取得が行われる際に、当該携帯端末装置に、ネットワークの無線品質測定調査の測定のための測定条件が設定されているかどうかを判定する判定ステップと、
該判定ステップにより、前記測定条件が設定されていると判定された場合に、ネットワークの無線品質測定調査の測定を行うように制御する測定制御ステップと、
前記ネットワークの無線品質測定調査の測定結果と前記位置情報とを含む報告情報を生成する報告情報生成ステップと、
該報告情報生成ステップにより生成された報告情報をネットワークに送信する送信ステップと
を有する。
【０１２１】
本実施例により提供される移動通信方法は、
対象携帯端末に所望無線品質を測定させて報告させる移動通信方法であって、
基地局装置が、位置情報サービスを提供する位置情報関連ノードにより通知されるべき位置測位手順が起動されたことを表す起動信号を受信する起動信号受信ステップと、
基地局装置が、交換局装置からネットワークの無線品質測定調査の測定開始信号を受信する測定開始信号受信ステップと、
基地局装置が、前記起動信号受信ステップにより起動信号が受信され、且つ前記測定開始信号受信ステップにより測定開始信号が受信された場合に、前記対象携帯端末装置に対して、前記所望無線品質の測定および報告方法に基づいて該所望無線品質の測定および報告を行うように指示する信号を送信するステップと
を有する。
【０１２２】
本実施例により提供される移動通信方法は、
対象携帯端末装置に所望無線品質を測定させて報告させる移動通信方法であって、
交換局装置が、位置測位手順が起動されたことを検出する起動検出ステップと、
交換局装置が、該起動検出ステップにより位置測位手順が起動されたことが検出された場合に、基地局装置に対して、前記対象携帯端末装置にネットワークの無線品質測定調査の測定を開始させるための測定開始信号を送信する測定開始信号送信ステップと、
前記基地局が、前記対象携帯端末装置に対して、前記所望無線品質の測定および報告方法に基づいて該所望無線品質の測定および報告を行うように指示する前記測定開始信号を送信するステップと、
該携帯端末装置が、前記測定開始信号に従って、ネットワークの無線品質測定調査の測定を行うステップと
を有する。
【０１２３】
説明の便宜上、発明の理解を促すため具体的な数値例を用いて説明されるが、特に断りのない限り、それらの数値は単なる一例に過ぎず適切な如何なる値が使用されてよい。
【０１２４】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【０１２５】
１００  携帯端末装置
１０２  入力部
１０４  出力部
１０６  通信制御部
１０８  無線部
１１０  記憶部
１１２  中央演算処理装置(CPU: Central Processing Unit)
１１２２  MDT測定コンフィグレーション設定判定部
１１２４  MDT測定コンフィグレーション設定部
１１２６  MDT測定制御部
１１２８  MDT測定結果報告情報生成部
１１４  位置情報取得部
２００  基地局装置
２０２  通信部
２０４  CPU
２０４２  MDT測定コンフィグレーション通知部
２０６  記憶部
３００  交換局装置
３０２  通信部
３０４  CPU
３０４２  MDTポリシー通知部
３０４４  MDT測定開始制御部
３０４６  MDT測定開始信号生成部
３０６  記憶部
４００  位置情報関連ノード
５００  オペレーションアンドメンテナンス(OAM: Operation and Maintenances)ノード
【図１】
2011238990.tif 000003
【図２】
2011238990.tif 000004
【図３】
2011238990.tif 000005
【図４】
2011238990.tif 000006
【図５】
2011238990.tif 000007
【図６】
2011238990.tif 000008
【図７】
2011238990.tif 000009
【図８】
2011238990.tif 000010
【図９】
2011238990.tif 000011
【図１０】
2011238990.tif 000012